(57)【要約】【課題】開閉状態に関わらず接続された携帯情報端末の取り出しを容易にすることが可能な電子機器を提供すること【解決手段】携帯情報端末２が着脱可能であり、上筐体３と下筐体４とが回動自在に連結された電子機器１において、電子機器１の開閉状態を検出する親機開閉状態検出部１２と、携帯情報端末２の着脱状態を検出する子機着脱状態検出部１１と、携帯情報端末２の解除方向を切り替える子機解除方向切替部２０と、子機解除方向切替部２０により切り替えられた解除方向に対して携帯情報端末２を解除する子機解除部３０と、を備え、子機解除方向切替部２０は、親機開閉状態検出部１２と前記子機解除方向切替部２０の検出結果に応じて、解除方向を切り替えるように構成する。これにより、電子機器１の開閉状態に関わらず、装着された携帯情報端末２の取り出しを容易にして、ユーザの利便性を向上させることができる。【選択図】図３
2011086999.tif 000002
【特許請求の範囲】
【請求項１】
携帯情報端末が着脱可能であり、第１の筐体と第２の筐体とが回動自在に連結された電子機器において、
前記第１の筐体と前記第２の筐体との開閉状態を検出する親機開閉状態検出部と、
前記携帯情報端末の着脱状態を検出する子機着脱状態検出部と、
前記携帯情報端末の解除方向を切り替える子機解除方向切替部と、
前記子機解除方向切替部により切り替えられた解除方向に対して前記携帯情報端末を解除する子機解除部と、を備え、
前記子機解除方向切替部は、前記親機開閉状態検出部と前記子機解除方向切替部の検出結果に応じて、前記解除方向を切り替えることを特徴とする電子機器。
【請求項２】
前記携帯情報端末の装着位置が、前記第１の筐体と前記第２の筐体とが開いているとき、および、前記第１の筐体と前記第２の筐体とが閉じているときのいずれの状態においても外部に露出する面に設けられることを特徴とする請求項１記載の電子機器。
【請求項３】
前記第１の筐体のうち、閉じたときに第２の筐体と対向する面に、各種情報を表示する表示部をさらに備え、
前記携帯情報端末の装着位置が、前記第１の筐体のうち、前記表示部が設けられた面の裏面に設けられることを特徴とする請求項２記載の電子機器。
【請求項４】
前記子機解除方向切替部は、解除方向として、前記携帯情報端末が装着された面に対して垂直方向および水平方向のいずれかに切り替えることを特徴とする請求項１乃至請求項３のいずれか一項に記載の電子機器。
【請求項５】
前記子機解除方向切替部は、前記子機着脱状態検出部が前記携帯情報端末が装着されていると検出し、かつ、前記親機開閉状態検出部が開いていると検出したとき、解除方向を前記水平方向に切り替えることを特徴とする請求項４記載の電子機器。
【請求項６】
前記子機解除方向切替部は、前記子機着脱状態検出部が前記携帯情報端末が装着されていると検出し、かつ、前記親機開閉状態検出部が閉じていると検出したとき、解除方向を前記垂直方向に切り替えることを特徴とする請求項４記載の電子機器。
【請求項７】
当該電子機器の姿勢を検出する親機姿勢検出部と、
前記携帯情報端末を係止する子機保持部と、をさらに備え、
前記子機保持部は、前記親機姿勢検出部で検出された姿勢により、前記解除方向が下向きであるとき、前記携帯情報端末を係止することを特徴とする請求項１記載の電子機器。
【請求項８】
前記携帯情報端末の取り出しが完了しているか否かを検出する子機取り出し状態検出部と、
前記携帯情報端末を係止する子機保持部と、をさらに備え、
前記子機保持部は、前記子機着脱状態検出部が前記携帯情報端末が装着されていないと検出し、かつ、前記子機取り出し状態検出部が取り出し完了していないと検出したとき、前記携帯情報端末を係止することを特徴とする請求項１記載の電子機器。
【請求項９】
前記子機保持部は、前記子機着脱状態検出部が前記携帯情報端末が装着されていないと検出し、かつ、前記子機取り出し状態検出部が取り出し完了していないと検出しているときに、前記携帯情報端末の取り出し状態が取り出し中の状態に変化した場合は、前記携帯情報端末の係止を解除することを特徴とする請求項８記載の電子機器。
【請求項１０】
当該電子機器の姿勢を検出する親機姿勢検出部と、
前記携帯情報端末の解除する距離を調整する子機解除位置調整部をさらに備え、
前記子機解除位置調整部は、前記親機姿勢検出部で検出された姿勢により、解除する距離を調整することを特徴とする請求項１記載の電子機器。
【請求項１１】
前記子機解除位置調整部は、前記親機姿勢検出部により当該電子機器が持ち運び状態であると判断された場合、前記親機姿勢検出部で検出された姿勢が水平状態であるときの第１の解除距離より短い第２の解除距離に調整することを特徴とする請求項１０記載の電子機器。
【請求項１２】
装着された前記携帯情報端末を解除する契機を検出するトリガ検出部をさらに備え、
前記子機解除部は、前記トリガ検出部が前記契機を検出したとき、前記携帯情報端末を解除することを特徴とする請求項１乃至請求項１１のいずれか一項に記載の電子機器。
【請求項１３】
前記トリガ検出部は、前記携帯情報端末に近接する物体を検出する近接検出部であり、
前記子機解除部は、前記近接検出部が前記携帯情報端末に近接する物体を検出したことを前記契機として前記携帯情報端末を解除することを特徴とする請求項１２記載の電子機器。
【請求項１４】
前記トリガ検出部は、装着された前記携帯情報端末に着信があったことを示す信号を前記携帯情報端末から受信する受信部であり、
前記子機解除部は、前記受信部が前記信号を受信したことを前記契機として前記携帯情報端末を解除することを特徴とする請求項１２記載の電子機器。
【発明の詳細な説明】
【技術分野】
【０００１】
本発明は、携帯情報端末を着脱可能な電子機器であって、特に、開閉状態に応じて携帯情報端末の取り出しを容易にすることが可能な電子機器に関する。
【背景技術】
【０００２】
従来、携帯電話等の携帯情報端末と接続および分離が可能な電子機器は、各種の接続の工夫が提案されている。
【０００３】
例えば、特許文献１および特許文献２には、第１の筐体と第２の筐体とが回動して開閉可能に構成された携帯型コンピュータに、携帯型コンピュータより小さな携帯電話が接続および分離可能な端末が記載されている。
【０００４】
また、特許文献３には、携帯電話機ホルダから携帯電話機を取り外す際に、携帯電話機を押し込む動作により簡単に取り外すことが可能な携帯電話機ホルダや、解除ボタンを押すことで携帯端末が解除され、スプリングにより携帯端末を押し出すことが可能な携帯電話機ホルダが記載されている。
【先行技術文献】
【特許文献】
【０００５】
【特許文献１】米国特許出願公開第２００１／００３９１９５号明細書
【特許文献２】米国特許出願公開第２００４／０２０３５０４号明細書
【特許文献３】特開平８−１０２７７９号公報
【発明の概要】
【発明が解決しようとする課題】
【０００６】
しかしながら、上記従来の端末では、電子機器から携帯情報端末を取り外す方向は予め決められた一方向であり、電子機器の開閉状態とは関係なく、取り外す方法は一つの方法のみである。なお、一般に、一方の端末から他方の端末の取り外しは、一方の端末から他方の端末のロックを解除し、その後、予め決められた一方向に他方の端末を引き抜くまたはスライドさせることで実現される。
【０００７】
したがって、第１の筐体と第２の筐体とが回動して開閉可能に構成された電子機器が開いている状態において、一方の筐体のうち、閉じたときに他方の筐体と対向する面の裏面に携帯情報端末が接続されていると、取り外しが困難といった課題がある。
【０００８】
具体的には、例えば、電子機器が開いている状態において、一方の筐体に設けられた表示部で、メールまたは文書の作成、編集および閲覧や、音声動画再生、また各種ウェブサイトの閲覧などを行なっているときに、同一筐体の表示部が配置された面の裏面に携帯情報端末が接続されていると、携帯情報端末に着信があった場合、直ちに着信に応答したいにも関わらず、電子機器から携帯情報端末を素早く取り出すことが困難であり、ユーザの利便性を低下させるおそれがある。
【０００９】
そこで本発明は上記従来の事情に鑑みてなされたものであって、開閉状態に関わらず接続された携帯情報端末の取り出しを容易にすることが可能な電子機器を提供することを目的とする。
【課題を解決するための手段】
【００１０】
本発明の電子機器は、携帯情報端末が着脱可能であり、第１の筐体と第２の筐体とが回動自在に連結された電子機器であって、前記第１の筐体と前記第２の筐体との開閉状態を検出する親機開閉状態検出部と、前記携帯情報端末の着脱状態を検出する子機着脱状態検出部と、前記携帯情報端末の解除方向を切り替える子機解除方向切替部と、前記子機解除方向切替部により切り替えられた解除方向に対して前記携帯情報端末を解除する子機解除部と、を備え、前記子機解除方向切替部は、前記親機開閉状態検出部と前記子機解除方向切替部の検出結果に応じて、前記解除方向を切り替える構成を有する。
【００１１】
この構成により、携帯情報端末が装着されているとき、第１の筐体と第２の筐体との開閉状態に応じて、携帯情報端末の解除方向を適切に切り替えることができるため、開閉状態にかかわらず、ユーザが素早く簡単に携帯情報端末を取り出すことができる。
【００１２】
また、本発明の電子機器は、前記携帯情報端末の装着位置が、前記第１の筐体と前記第２の筐体とが開いているとき、および、前記第１の筐体と前記第２の筐体とが閉じているときのいずれの状態においても外部に露出する面に設けられた構成を有する。
【００１３】
この構成により、第１の筐体と第２の筐体との開閉状態に応じて、ユーザからの視認性が変わる位置に携帯情報端末が装着されていても、携帯情報端末の解除方向を適切に切り替えることができるため、ユーザが素早く簡単に携帯情報端末を取り出すことができる。
【００１４】
また、本発明の電子機器は、前記第１の筐体のうち、閉じたときに第２の筐体と対向する面に、各種情報を表示する表示部をさらに備え、前記携帯情報端末の装着位置が、前記第１の筐体のうち、前記表示部が設けられた面の裏面に設けられた構成を有する。
【００１５】
この構成により、第１の筐体と第２の筐体とを開いて表示部で各種情報をユーザが閲覧しているときに、ユーザから視認できない位置に携帯情報端末が装着されていても、携帯情報端末の解除方向を適切に切り替えることができるため、ユーザが素早く簡単に携帯情報端末を取り出すことができる。
【００１６】
また、本発明の電子機器は、前記子機解除方向切替部が、解除方向として、前記携帯情報端末が装着された面に対して垂直方向および水平方向のいずれかに切り替える構成を有する。
【００１７】
この構成により、開閉状態に応じた適切な方向へ携帯情報端末を解除することができ、ユーザが素早く簡単に携帯情報端末を取り出すことができる。
【００１８】
また、本発明の電子機器は、前記子機解除方向切替部が、前記子機着脱状態検出部が前記携帯情報端末が装着されていると検出し、かつ、前記親機開閉状態検出部が開いていると検出したとき、解除方向を前記水平方向に切り替える構成を有する。
【００１９】
この構成により、第１の筐体と第２の筐体とを開いているときに、ユーザから視認できない位置に携帯情報端末が装着されていても、携帯情報端末の解除方向を適切に切り替えることができるため、ユーザが素早く簡単に携帯情報端末を取り出すことができる。
【００２０】
また、本発明の電子機器は、前記子機解除方向切替部が、前記子機着脱状態検出部が前記携帯情報端末が装着されていると検出し、かつ、前記親機開閉状態検出部が閉じていると検出したとき、解除方向を前記垂直方向に切り替える構成を有する。
【００２１】
この構成により、第１の筐体と第２の筐体とを閉じているときに、ユーザから視認できる位置に携帯情報端末が装着されていれば、携帯情報端末の解除方向を垂直方向に切り替えることができるため、ユーザが素早く簡単に携帯情報端末を取り出すことができる。
【００２２】
また、本発明の電子機器は、当該電子機器の姿勢を検出する親機姿勢検出部と、前記携帯情報端末を係止する子機保持部と、をさらに備え、前記子機保持部は、前記親機姿勢検出部で検出された姿勢により、前記解除方向が下向きであるとき、前記携帯情報端末を係止する構成を有する。
【００２３】
この構成により、携帯情報端末を解除したときに電子機器の姿勢によって落下することを防止することができる。
【００２４】
また、本発明の電子機器は、前記携帯情報端末の取り出しが完了しているか否かを検出する子機取り出し状態検出部と、前記携帯情報端末を係止する子機保持部と、をさらに備え、前記子機保持部は、前記子機着脱状態検出部が前記携帯情報端末が装着されていないと検出し、かつ、前記子機取り出し状態検出部が取り出し完了していないと検出したとき、前記携帯情報端末を係止する構成を有する。
【００２５】
この構成により、子機解除部が携帯情報端末を解除した後であっても、携帯情報端末が完全に取り出されていなければ、携帯情報端末を係止することによって、電子機器の姿勢が変化したときに落下することを防止することができる。
【００２６】
また、本発明の電子機器は、前記子機保持部が、前記子機着脱状態検出部が前記携帯情報端末が装着されていないと検出し、かつ、前記子機取り出し状態検出部が取り出し完了していないと検出しているときに、前記携帯情報端末の取り出し状態が取り出し中の状態に変化した場合は、前記携帯情報端末の係止を解除する構成を有する。
【００２７】
この構成により、子機保持部が携帯情報端末を係止していても、ユーザが携帯情報端末を取り出すときには係止を自動的に解除することで、落下防止と取り出しやすさの両立を実現することができる。
【００２８】
また、本発明の電子機器は、当該電子機器の姿勢を検出する親機姿勢検出部と、前記携帯情報端末の解除する距離を調整する子機解除位置調整部をさらに備え、前記子機解除位置調整部は、前記親機姿勢検出部で検出された姿勢により、解除する距離を調整する構成を有する。
【００２９】
この構成により、携帯情報端末を解除したときに電子機器の姿勢によって落下することを防止することができる。
【００３０】
また、本発明の電子機器は、前記子機解除位置調整部が、前記親機姿勢検出部により当該電子機器が持ち運び状態であると判断された場合、前記親機姿勢検出部で検出された姿勢が水平状態であるときの第１の解除距離より短い第２の解除距離に調整する構成を有する。
【００３１】
この構成により、電子機器が持ち運ばれている状態で、携帯情報端末を解除したときに落下することを防止することができる。
【００３２】
また、本発明の電子機器は、装着された前記携帯情報端末を解除する契機を検出するトリガ検出部をさらに備え、前記子機解除部は、前記トリガ検出部が前記契機を検出したとき、前記携帯情報端末を解除する構成を有する。
【００３３】
この構成により、電子機器から携帯情報端末を取り出されることを予測し、携帯情報端末を解除しておくことで、ユーザが素早く携帯情報端末を取り出すことができる。
【００３４】
また、本発明の電子機器は、前記トリガ検出部が、前記携帯情報端末に近接する物体を検出する近接検出部であり、前記子機解除部が、前記近接検出部が前記携帯情報端末に近接する物体を検出したことを前記契機として前記携帯情報端末を解除する構成を有する。
【００３５】
この構成により、ユーザが携帯情報端末を取り出そうと手を近づけたときに、予め携帯情報端末を解除しておくことで、ユーザが素早く携帯情報端末を取り出すことができる。
【００３６】
また、本発明の電子機器は、前記トリガ検出部が、装着された前記携帯情報端末に着信があったことを示す信号を前記携帯情報端末から受信する受信部であり、前記子機解除部が、前記受信部が前記信号を受信したことを前記契機として前記携帯情報端末を解除する構成を有する。
【００３７】
この構成により、ユーザが着信のあった携帯情報端末を取り出そうとしたときに、予め携帯情報端末を解除しておくことで、ユーザが素早く携帯情報端末を取り出すことができる。
【発明の効果】
【００３８】
本発明によれば、電子機器の開閉状態に関わらず、装着された携帯情報端末の取り出しを容易にすることができ、ユーザの利便性を向上させることができる。
【図面の簡単な説明】
【００３９】
【図１】本発明の実施の形態における電子機器１の外観を示す図
【図２】（ａ）本発明の実施の形態における電子機器１を開いた状態の後方斜視図、（ｂ）本発明の実施の形態における電子機器１を開いた状態の前方斜視図
【図３】本発明の実施の形態１における電子機器１の構成を示すブロック図
【図４】図１における本発明の実施の形態の電子機器１のＡ−Ａ’断面図
【図５】本発明の実施の形態における電子機器１の凹部１ａ周辺をＺ方向から見た正面図
【図６】本発明の実施の形態における電子機器１の凹部１ａ周辺をＸ方向から見た側面図
【図７】本発明の実施の形態１における電子機器１の処理手順を示すフローチャート
【図８】本発明の実施の形態２における電子機器１の使用例を示す図
【図９】本発明の実施の形態２の電子機器１の構成を示すブロック図
【図１０】本発明の実施の形態２における電子機器１の処理手順を示すフローチャート
【図１１】本発明の実施の形態３の電子機器１の構成を示すブロック図
【図１２】本発明の実施の形態３における電子機器１の処理手順を示すフローチャート
【図１３】本発明の実施の形態４の電子機器１の構成を示すブロック図
【図１４】本発明の実施の形態４における電子機器１の処理手順を示すフローチャート
【発明を実施するための形態】
【００４０】
以下、本発明の実施の形態について、図面を参照しながら説明する。なお、実施の形態を説明するための全図において、同一の構成要素には同一符号を付与し、重複する説明は省略する。
【００４１】
(実施の形態１)
図１は、本発明の実施の形態における電子機器１の外観を示す図である。
【００４２】
電子機器１は、例えば、ノートパソコンやＰＤＡ等の電子機器であり、外部に露出する面に凹部１ａを備えており、携帯電話や携帯音楽プレイヤー等の携帯情報端末２を凹部１ａに着脱可能に構成されている。
【００４３】
図２は、本発明の実施の形態における電子機器１を開いた状態の斜視図である。
【００４４】
図２（ａ）は、本発明の実施の形態における電子機器１を開いた状態の後方斜視図であり、電子機器１は、上筐体３（第１の筐体）と下筐体４（第２の筐体）とが図示しないヒンジによって回動自在に連結されている。また、電子機器１の上筐体３には凹部１ａが設けられ、携帯情報端末２が着脱できるよう構成されている。
【００４５】
図２（ｂ）は、本発明の実施の形態における電子機器１を開いた状態の前方斜視図であり、電子機器１の上筐体３には、メール、文書、動画、ウェブサイトなどの各種情報を表示する表示部５が設けられている。
【００４６】
図３は、本発明の実施の形態１における電子機器１の構成を示すブロック図である。
【００４７】
電子機器１は、検出部１０、子機解除方向切替部２０、および子機解除部３０とから構成されている。
【００４８】
検出部１０は、子機着脱状態検出部１１および親機開閉状態検出部１２とから構成されている。
【００４９】
子機着脱状態検出部１１は、電子機器１に携帯情報端末２が装着されているか、外れているのかを検出する。例えば、電子機器１に携帯情報端末２が装着された際に発生する電位変化に基づいて装着されたと判定してもよいし、電子機器１の凹部１ａに設けた図示しない凸部が携帯情報端末２の筐体によって押し込まれることに基づいて装着されたと判定してもよい。
【００５０】
親機開閉状態検出部１２は、電子機器１の上筐体３と下筐体４とが開いているのか、閉じているのかを検出する。例えば、上筐体３と下筐体４の一方の筐体に永久磁石を配置し、他方の筐体にホール素子を配置しておき、永久磁石からの磁束の強弱によりホ−ル素子の出力電圧が変化することによって、電子機器の開閉状態を検出することができる。
【００５１】
トリガ検出部１３は、携帯情報端末２を解除する契機を検出する。例えば、図示しない近接検出部が、携帯情報端末２に近接する物体を検出することを契機としたり、図示しない受信部が、装着された携帯情報端末２に着信があったことを示す信号を受信することを契機として検出する。
【００５２】
子機解除方向切替部２０は、トリガ検出部１３が携帯情報端末２を解除する契機を検出したとき、子機着脱状態検出部１１と親機開閉状態検出部１２の検出結果から解除方向を切り替えて、子機解除部３０へ携帯情報端末２の解除を指示する。
【００５３】
子機解除部３０は、水平方向解除部３１と垂直方向解除部３２とから構成されている。
【００５４】
水平方向解除部３１は、携帯情報端末２が装着された面に対して水平方向に、携帯情報端末２を所定の距離だけ移動させる。詳細については後述する。
【００５５】
垂直方向解除部３２は、携帯情報端末２が装着された面に対して垂直方向に、携帯情報端末２を所定の距離だけ移動させる。詳細については後述する。
【００５６】
図４〜図６を用いて、本発明の実施の形態における電子機器１が携帯情報端末２を解除するときの動作を説明する。なお、図４は、図１における本発明の実施の形態の電子機器１のＡ−Ａ’断面から見た図である。また、図５は、本発明の実施の形態における電子機器１の凹部１ａ周辺をＺ方向から見た正面図である。また、図６は、本発明の実施の形態における電子機器１の凹部１ａ周辺をＸ方向から見た側面図である。
【００５７】
電気機器１における携帯情報端末２を解除する機構として、図４に示すとおり、ローラー３１（水平方向解除部）／３２（垂直方向解除部）、突き上げピン３２（垂直方向解除部）、フォルダー４０、および回転軸５０がある。
【００５８】
フォルダー４０は、電子機器１の凹部１ａに設けられており、携帯情報端末２が収納される。また、フォルダー４０は、携帯情報端末２をＸ方向にスライド移動させることにより、装着および取り外しができる。また、フォルダー４０は、電子機器１の凹部１ａの内壁に設けられた回転軸５０と連結されており、回転軸５０を中心に回動する。また、フォルダー４０の底面は切り欠き部を備え、切り欠き部からローラー３１／３２が直接、携帯情報端末２に当接するようになっている。
【００５９】
ここで、携帯情報端末２を水平方向に解除する場合は、ローラー３１が矢印ａの方向へ回転することにより、ローラー３１に当接された携帯情報端末２を矢印ｂの方向へ送り出す。
【００６０】
また、携帯情報端末２を垂直方向に解除する場合は、ローラー３２および突き上げピン３２が矢印ｃの方向へ突き上げることにより、フォルダー４０が回転軸５０を中心に矢印ｄの方向へ回動して押し上げられ、図示したように、状態Ｎから状態Ｖへ変化する。
【００６１】
図７は、本発明の実施の形態１における電子機器１の処理手順を示すフローチャートである。
【００６２】
まず、トリガ検出部１３は、例えば、近接する物体があるか否か、また、携帯情報端末２に着信があったことを示す信号を受信したか否かを検出し（ステップＳ１０１）、携帯情報端末２を解除する契機があるか否かを判定する（ステップＳ１０２）。
【００６３】
ここで、携帯情報端末２を解除する契機が検出されない場合（ステップＳ１０２、Ｎｏ）、再度、携帯情報端末２を解除する契機があるか否かを検出する。
【００６４】
一方、携帯情報端末２を解除する契機が検出された場合（ステップＳ１０２、Ｙｅｓ）、子機着脱状態検出部１１は、携帯情報端末２の着脱状態を検出し（ステップＳ１０３）、携帯情報端末２が装着されているか否かを判定する（ステップＳ１０４）。
【００６５】
ここで、携帯情報端末２が外されている場合（ステップＳ１０４、Ｎｏ）、再度、携帯情報端末２を解除する契機があるか否かを検出する。
【００６６】
一方、携帯情報端末２が装着されている場合（ステップＳ１０４、Ｙｅｓ）、親機開閉状態検出部１２は、電子機器１の上筐体と下筐体との開閉状態を検出する（ステップＳ１０５）。
【００６７】
ここで、電子機器１が開状態である場合（ステップＳ１０６、Ｙｅｓ）、子機解除方向切替部２０は、携帯情報端末２の解除方向を水平方向に切り替え、水平方向解除部３１を動作させる。
【００６８】
一方、電子機器１が閉状態である場合（ステップＳ１０６、Ｎｏ）、子機解除方向切替部２０は、携帯情報端末２の解除方向を垂直方向に切り替え、垂直方向解除部３２を動作させる。
【００６９】
このように本発明の実施の形態１によれば、携帯情報端末２が装着されているとき、電子機器１の開閉状態に応じて、携帯情報端末２の解除方向を適切に切り替えることができるため、開閉状態にかかわらず、ユーザが素早く簡単に携帯情報端末を取り出すことができる。特に、電子機器１を開いて表示部５で各種情報をユーザが閲覧しているときに、ユーザから視認できない位置に携帯情報端末２が装着されていても、携帯情報端末２の解除方向を適切に切り替えることができるため、ユーザが素早く簡単に携帯情報端末を取り出すことができる。
【００７０】
（実施の形態２）
次に、本発明の実施の形態２について説明する。本発明の実施の形態２は、既に説明した本発明の実施の形態１の構成に加え、親機姿勢検出部で検出された姿勢により、例えば、図８に示すように、解除すると携帯情報端末２が落下するおそれがあるとき、携帯情報端末２を係止する点に特徴がある。なお、上記実施の形態１のように、携帯情報端末２がフォルダー４０に収納される場合は、フォルダー４０の取り出し口方向も解除方向に含むものとする。
【００７１】
図９は、本発明の実施の形態２の電子機器１の構成を示すブロック図である。
【００７２】
親機姿勢検出部１４は、例えば、ジャイロセンサや加速度センサであり、電子機器１の３軸方向のデータや、姿勢変化を検出する。なお、姿勢変化を測定できれば特にその実現手段は問わない。
【００７３】
子機保持部６０は、携帯情報端末２が電子機器１から取り外しできないよう係止（ロック）する。例えば、本実施の形態２では、ローラー３１の回転動作を禁止し、ローラー３１が押圧して当接している携帯情報端末２がＸ方向へスライド移動しないようにすることで、係止している。
【００７４】
図１０は、本発明の実施の形態２における電子機器１の処理手順を示すフローチャートである。なお、トリガ検出から親機開閉状態検出までの手順については上記実施の形態１と同様であるため、説明を省略する。
【００７５】
親機姿勢検出部１４は、親機開閉状態検出後に、電子機器１の姿勢を検出し（ステップＳ２０１、Ｓ２０４）、子機解除方向切替部２０により切り替えられた解除方向が、電子機器１の姿勢により、下向きであるか否かを判定する（ステップＳ２０２、Ｓ２０５）
ここで、子機解除方向切替部２０により切り替えられた解除方向が、電子機器１の姿勢により、下向きである場合（ステップＳ２０２−Ｙｅｓ、ステップＳ２０５−Ｙｅｓ）、子機保持部６０はローラー３１の回転動作を禁止することで携帯情報端末２を係止し（ステップＳ２０３、Ｓ２０６）、親機姿勢検出部１４は、再度、電子機器１の姿勢を検出する。
【００７６】
一方、子機解除方向切替部２０により切り替えられた解除方向が、電子機器１の姿勢により、下向きでない場合（ステップＳ２０２−Ｎｏ、ステップＳ２０５−Ｎｏ）、子機解除方向切替部２０は、携帯情報端末２の解除方向を水平方向、または垂直方向に切り替え、水平方向解除部３１、または垂直方向解除部３２を動作させる。
【００７７】
このように本発明の実施の形態２によれば、携帯情報端末２を係止することによって、電子機器１から携帯情報端末２が落下することを防止し、携帯情報端末２が破損するおそれを低減することができる。
【００７８】
（実施の形態３）
次に、本発明の実施の形態３について説明する。本発明の実施の形態３は、既に説明した本発明の実施の形態１の構成に加え、子機取り出し状態検出部１５で検出された取り出し状態に応じて、携帯情報端末２を係止する点に特徴がある。
【００７９】
図１１は、本発明の実施の形態３の電子機器１の構成を示すブロック図である。
【００８０】
子機取り出し状態検出部１５は、携帯情報端末２の取り出しが完了しているか否かを検出する。例えば、子機解除部３０の解除動作が完了した後に、接触センサを備えたローラー３１がまだ携帯情報端末２と当接しているか否かによって、取り出しが完了しているか否かを判定してもよい。なお、子機解除部３０による解除動作が完了したときに、ローラー３１が携帯情報端末２と当接しない位置まで解除しないよう、予め、子機解除部３０の解除距離を調整しておく必要があることは言うまでもない。
【００８１】
また、本実施の形態３の子機取り出し状態検出部１５は、携帯情報端末２の取り出し状態として３つの状態を有する。
【００８２】
第１に、子機解除部３０による解除動作が完了した後に、ローラー３１が携帯情報端末２と当接していない状態を「完了状態」という。
【００８３】
第２に、子機解除部３０による解除動作が完了した後に、ローラー３１が携帯情報端末２と当接している状態を「未完了静止状態」という。また、未完了静止状態では子機保持部６０は、携帯情報端末２を係止する。
【００８４】
第３に、子機解除部３０による解除動作が行なわれており、ローラー３１が携帯情報端末２と当接している状態を「未完了取り出し状態」という。なお、未完了静止状態において、携帯情報端末２をユーザが取り出そうとすることにより、ローラー３１が回転方向に対して一定の力が加わったことを検出して、「未完了静止状態」から「未完了取り出し状態」に遷移することができる。
【００８５】
図１２は、本発明の実施の形態３における電子機器１の処理手順を示すフローチャートである。なお、トリガ検出から親機開閉状態検出までの手順については上記実施の形態１と同様であるため、説明を省略する。
【００８６】
子機取り出し状態検出部１５は、子機解除部３０による解除動作後、携帯情報端末２の取り出し状態を検出し（ステップＳ３０１、Ｓ３０５）、未完了静止状態であるか否かを判定する（ステップＳ３０２、Ｓ３０６）。
【００８７】
ここで、子機取り出し状態検出部１５が、未完了静止状態であると検出した場合（ステップＳ３０２−Ｙｅｓ、ステップＳ３０６−Ｙｅｓ）、子機保持部６０により、携帯情報端末２を係止する（ステップＳ３０３、ステップＳ３０７）。
【００８８】
一方、子機取り出し状態検出部１５が、未完了静止状態でないと検出した場合（ステップＳ３０２−Ｎｏ、ステップＳ３０６−Ｎｏ）、未完了取り出し状態であるか否かを判定する（ステップＳ３０４、Ｓ３０８）。
【００８９】
ここで、子機取り出し状態検出部１５が、未完了取り出し状態であると検出した場合（ステップＳ３０４−Ｙｅｓ、ステップＳ３０８−Ｙｅｓ）、子機解除部３０により、携帯情報端末２を解除する。
【００９０】
一方、子機取り出し状態検出部１５が、未完了取り出し状態でないと検出した場合（ステップＳ３０４−Ｎｏ、ステップＳ３０８−Ｎｏ）、完了状態であると判断し、処理を終了する
このように本発明の実施の形態３によれば、携帯情報端末２が意図せずに解除された場合であっても携帯情報端末２を係止することによって、電子機器１から携帯情報端末２が落下することを防止し、携帯情報端末２が破損するおそれを低減することができる。
【００９１】
（実施の形態４）
次に、本発明の実施の形態４について説明する。本発明の実施の形態４は、既に説明した本発明の実施の形態２の構成に加え、親機姿勢検出部１４で検出された姿勢に応じて、携帯情報端末２を解除する距離を調整する点に特徴がある。
【００９２】
図１３は、本発明の実施の形態４の電子機器１の構成を示すブロック図である。
【００９３】
子機解除位置調整部７０は、装着された携帯情報端末２の解除する位置を調整する。例えば、本発明の実施の形態では、ローラー３１の回転数を制御したり、突き上げピン３２の移動距離を変化させることにより、解除する距離を調整することができる。なお、これにこだわらず、スプリングによって解除する場合であれば、動作させるスプリングの数を可変にするなど、特にその実現手段は問わない。
【００９４】
図１４は、本発明の実施の形態４における電子機器１の処理手順を示すフローチャートである。なお、トリガ検出から親機姿勢検出までの手順については上記実施の形態２と同様であるため、説明を省略する。
【００９５】
子機解除位置調整部７０は、親機姿勢検出部１４で検出された電子機器１の姿勢が静止状態であるか否かを判定する（ステップＳ４０１、Ｓ４０３）。
【００９６】
ここで、電子機器１の姿勢が静止状態であると判定された場合（ステップＳ４０１−Ｙｅｓ、ステップＳ４０３−Ｙｅｓ）、予め設定された解除距離にしたがって、ローラー３１や突き上げピン３２を動作させて、携帯情報端末２を解除する。
【００９７】
一方、電子機器１の姿勢が静止状態でないと判定された場合（ステップＳ４０１−Ｎｏ、ステップＳ４０３−Ｎｏ）、子機解除位置調整部７０は、ローラー３１の回転数や突き上げピン３２の移動距離を調整し、上記の静止状態における解除距離よりも短い解除距離に設定して、ローラー３１や突き上げピン３２を動作させ、携帯情報端末２を解除する。
【００９８】
このように本発明の実施の形態４によれば、電子機器が持ち運ばれている状態に、携帯情報端末２の解除する距離を短くすることによって、電子機器１から携帯情報端末２が落下することを防止し、携帯情報端末２が破損するおそれを低減することができる。
【産業上の利用可能性】
【００９９】
本発明は、携帯情報端末が着脱可能であり、第１の筐体と第２の筐体とが回動自在に連結された電子機器において、前記第１の筐体と前記第２の筐体との開閉状態を検出する親機開閉状態検出部と、前記携帯情報端末の着脱状態を検出する子機着脱状態検出部と、前記携帯情報端末の解除方向を切り替える子機解除方向切替部と、前記子機解除方向切替部により切り替えられた解除方向に対して前記携帯情報端末を解除する子機解除部と、を備え、前記子機解除方向切替部は、前記親機開閉状態検出部と前記子機解除方向切替部の検出結果に応じて、前記解除方向を切り替える構成を有することによって、電子機器の開閉状態に関わらず、装着された携帯情報端末の取り出しを容易にして、ユーザの利便性を向上させることができる。したがって、開閉型のノートパソコン、ＰＤＡ、携帯電話などの
電子機器に有用である。
【符号の説明】
【０１００】
１    電子機器
２    携帯情報端末
３    上筐体
４    下筐体
５    表示部
１０    検出部
１１    子機着脱状態検出部
１２    親機開閉状態検出部
１３    トリガ検出部
１４    親機姿勢検出部
１５    子機取り出し状態検出部
２０    子機解除方向切替部
３０    子機解除部
３１    水平方向解除部
３２    垂直方向解除部
４０    フォルダー
５０    回転軸
６０    子機保持部
７０    子機解除位置調整部
【図１】
2011086999.tif 000003
【図２】
2011086999.tif 000004
【図３】
2011086999.tif 000005
【図４】
2011086999.tif 000006
【図５】
2011086999.tif 000007
【図６】
2011086999.tif 000008
【図７】
2011086999.tif 000009
【図８】
2011086999.tif 000010
【図９】
2011086999.tif 000011
【図１０】
2011086999.tif 000012
【図１１】
2011086999.tif 000013
【図１２】
2011086999.tif 000014
【図１３】
2011086999.tif 000015
【図１４】
2011086999.tif 000016